(57)【要約】      （修正有）【課題】配管を施工した後にカバーを設置できる配管体を提供する。【解決手段】配管体は、金属の配管１７と、配管の一方に設置された第１面１５１、配管の他方に設置された第２面１５２、及び第１面と第２面を連結する第１連結面１５３を有し、配管の第１半面を覆う第１カバー１５と、第１面と重なって接する第３面１９３、第２面と重なって設置された第４面１９４、及び第３面と第４面を連結する第２連結面１９５を有し、配管の第２半面を覆う第２カバー１９と、を備える。【選択図】図２
0003228691.tif 000002
【実用新案登録請求の範囲】
【請求項１】
金属の配管と、
前記配管の一方に設置された第１面と、
前記配管の前記一方と反対の他方に、前記第１面と平行に設置された第２面と、
前記第１面及び前記第２面を連結する第１連結面と、を有し、
前記配管の第１半面を覆う第１カバーと、
前記第１面と重なって接する第３面と、
前記第２面と重なって接し、前記第３面と平行に設置された第４面と、
前記第３面及び前記第４面を連結する第２連結面と、を有し、
前記配管の前記第１半面の反対側の第２半面を覆う第２カバーと、を備える、
配管体。
【請求項２】
前記第１面、前記第２面、前記第３面及び前記第４面は平面である、
請求項１の配管体。
【請求項３】
前記第１連結面及び前記第２連結面は、それぞれ、前記配管から見て凸に形成された、
請求項１又は２の配管体。
【請求項４】
前記第１連結面及び前記第２連結面は、それぞれ、平面を有し、
横断面において、前記第１カバーと前記第２カバーが実質的に正多角形を形成する、
請求項３の配管体。
【請求項５】
前記第１カバー及び前記第２カバーは、それぞれ、金属で一体として構成されている、
請求項１〜４のいずれかの配管体。
【請求項６】
前記第１カバー及び前記第２カバーは、それぞれ、折り曲げられた一枚の薄板である、
請求項５の配管体。
【請求項７】
前記第１カバー及び前記第２カバーは、粘着テープで互いに固定されている、
請求項１〜６のいずれかの配管体。
【請求項８】
前記第１カバー及び前記第２カバーは、互いに接着されている、
請求項１〜７のいずれかの配管体。
【考案の詳細な説明】
【技術分野】
【０００１】
本考案は、配管体に関する。
【背景技術】
【０００２】
洗浄やジェットによるバリ取り加工に用いるジェット洗浄機、ウォータージェット切断機や工作機械は、液体配管を有する。液体配管の内部に洗浄液やクーラント液が流動する。液体配管が破れた場合には、液体が破損部位から噴出する。配管内を流動する液体が高圧の場合、勢いよく液体が噴出する場合がある。そこで、金属製のベローズ保護管内に液体配管を設置する場合がある。
【考案の概要】
【考案が解決しようとする課題】
【０００３】
配管の設置及びメンテナンスを容易にするため、配管施工後に設置できるカバーと配管とを含む配管体を提供する。
【課題を解決するための手段】
【０００４】
本考案の第１の側面は、配管体であって、
金属の配管と、
前記配管の一方に設置された第１面と、
前記配管の前記一方と反対の他方に、前記第１面と平行に設置された第２面と、
前記第１面及び前記第２面を連結する第１連結面と、を有し、
前記配管の第１半面を覆う第１カバーと、
前記第１面と重なって接する第３面と、
前記第２面と重なって接し、前記第３面と平行に設置された第４面と、
前記第３面及び前記第４面を連結する第２連結面と、を有し、
前記配管の前記第１半面の反対側の第２半面を覆う第２カバーと、を備える。
【０００５】
第１カバーと第２カバーとを組み合わせた横断面は、例えば、実質的に、正方形、正六角形、正八角形である。
第１面と第２面は好ましくは密着する。第１面と第２面はそのほとんど全面が重なって良い。好ましくは、第１面と第２面はその幅の半分以上が重なる。
第３面と第４面は好ましくは密着する。第３面と第４面はそのほとんど全面が重なって良い。好ましくは、第３面と第４面はその幅の半分以上が重なる。
【考案の効果】
【０００６】
本考案によれば、配管を施工した後にカバーを設置できる配管体を提供できる。
【図面の簡単な説明】
【０００７】
【図１】第１実施形態の配管体。
【図２】第１実施形態の配管体を一部切断した斜視図。
【図３】第２実施形態の配管体の横断面図。
【図４】第３実施形態の配管体の横断面図。
【考案を実施するための形態】
【０００８】
（第１実施形態）
図１に示すように、本実施形態の配管体１０は、ブロック１１、継手１３、第１カバー１５、第２カバー１９、粘着テープ２１及び配管１７（図２参照）を含む。
【０００９】
ブロック１１は、機械のタンク、架台、駆動体（例えば送り台や主軸頭）（いずれも不図示）に固定される。継手１３は、例えばおねじによってブロック１１に固定される。継手１３は、例えば食い込み継手である。配管１７は継手１３を介してブロック１１に固定される。
【００１０】
図２は、第１カバー１５、第２カバー１９及び配管１７の一部を配管１７の中心軸に垂直な面（横断面）で切断した配管体１０の斜視図である。図２に示すように、第１カバー１５は、配管１７の長手方向に延びて設置され、配管１７の第１半面（図では上側半分）を覆う。第１カバー１５は、折り曲げられた１枚の金属薄板である。例えば、第１カバー１５はステンレス鋼、アルミ合金、軟鋼である。例えば第１カバー１５は０．５ｍｍ〜１．５ｍｍの金属板をプレスして製作される。第１カバー１５は、２つの継手１３の間で、配管１７が露出する長さと同じ長さである。言い換えると、第１カバー１５は、配管１７が露出している区間の第１半面を全て覆うように、設置される（図１参照）。
第１カバー１５は、第１面１５１、第２面１５２及び第１連結体１５３を含む。第１面１５１は平面であり、配管１７の一方（図の左側）に接して配置される。第２面１５２は平面であり、配管１７の他方（図の右側）に配置される。第２面１５２は第１面１５１に平行である。第２面１５２と配管１７の間には、第２カバーの厚み分の隙間が設けられている。第１連結面は平面である第５面１５３ａと、平面である第６面１５３ｂと、を有する。第１面１５１、第２面１５２、第５面１５３ａ、第６面１５３ｂの幅は配管１７の外径の半分と実質的に等しい。第１面１５１と第５面１５３ａとの内角、第５面１５３ａと第６面１５３ｂとの内角、第６面１５３ｂと第２面１５２との内角は、それぞれ１２０度である。
【００１１】
第２カバー１９は、配管１７の長手方向に延びて設置され、配管１７の第２半面（図では下側半分）を覆う。第２カバー１９は、第３面１９３、第４面１９４及び第２連結面１９５を含む。第２カバー１９は、第１カバー１５と実質的に同一である。
第１面１５１は第３面１９３と配管１７の間に挿入される。第１面１５１の外面と第３面１９３の内面は重なって接する。第１面１５１の略全幅が第３面１９３に重なる。好ましくは、第１面１５１の外面と第３面１９３の内面は密着する。
第４面１９４は配管１７と第２面１５２の間に挿入される。第４面１９４と配管１７は接する。第４面１９４の外面と第２面１５２の内面は重なって接する。第２面１５２の略全幅が第４面１９４に重なる。好ましくは、第４面１９４の外面と第２面１５２の内面は密着する。
【００１２】
第１カバー１５と第２カバー１９は、組み合わせた状態でその断面が略正六角形である。なお、第１連結面１５３及び第２連結面１９５の平面の数を変えても良い。例えば、第１連結面１５３及び第２連結面１９５の平面を１枚として、第１カバー１５と第２カバー１９とを組み合わせた断面を略正方形又は略長方形として良い。第１連結面１５３及び第２連結面１９５の平面を３枚として、第１カバー１５と第２カバー１９とを組み合わせた断面を略正八角形として良い。
【００１３】
粘着テープ２１は、例えばアルミニウムテープである。第１カバー１５と第２カバー１９は、粘着テープ２１で互いに固定される。図１、図２に示すように、粘着テープ２１は第１カバー１５と第２カバー１９の外周を一周するように巻き付けて固定されてよい。なお、粘着テープ２１は、配管１７の長手方向に沿って、第１カバー１５と第２カバー１９の合わせ目に貼り付けても良い。
【００１４】
第１カバー１５と第２カバー１９は、接着により固定されても良い。第１カバー１５と第２カバー１９は溶接、ろう付けにより固定されても良い。第１カバー１５と第２カバー１９は、継手１３に対しても固定されてよい。
【００１５】
ジェット洗浄機、ウォータージェット切断機や工作機械の配管１７は、ブロック１１、継手１３、クランプ（不図示）によって機械に固定される。配管１７はポンプ（不図示）や機械の振動によって疲労する。配管１７は定期的に交換される場合がある。第１カバー１５と第２カバー１９は配管１７の反面ずつを覆い、互いに粘着テープ２１で固定されている。そのため、第１カバー１５と第２カバー１９の取り外しは容易である。また、第１カバー１５と第２カバー１９は配管１７が機械に固定された後に取り付けられる。そして、配管１７、第１カバー１５及び第２カバー１９の一部を交換も容易である。
【００１６】
第１カバー１５と第２カバー１９が金属薄板で構成されているため、配管１７が破損して、高圧の液体が噴出した場合であっても、第１カバー１５及び第２カバー１９は破損しにくい。
【００１７】
（第２実施形態）
図３は、本実施形態の配管体２０を、配管１７の中心軸に垂直な平面で切断した断面図である。図３に示すように、配管体２０は、第１カバー２５、第２カバー２９及び配管１７を有する。
【００１８】
第１カバー２５は折り曲げられた金属薄板である。第１カバー２５は、配管１７の長手方向に沿って延びて、配管１７の第１半面（図の上方半分）を覆う。第１カバー２５は、第１面２５１、第２面２５２及び第１連結面２５３を有する。第１面２５１は配管１７と接していない。第２面２５２は第１面２５１と平行である。第１連結面２５３は、配管１７から見て凸の緩やかな曲面である。
【００１９】
第２カバー２９は、配管１７の長手方向に沿って延びて、配管１７の第２半面（図の下方半分）を覆う。第２カバー２９は、第３面２９３、第４面２９４及び第２連結面２９５を有する。第３面２９３は第１面２５１と重なって接する。第４面２９４は配管１７と接していない。第４面２９４は第２面２５２と重なって接する。
【００２０】
第１カバー２５と第２カバー２９は、粘着テープ２１で互いに固定される。
【００２１】
（第３実施形態）
図４は、本実施形態の配管体３０を、配管１７の中心軸に垂直な平面で切断した断面図である。図４に示すように、配管体３０は、第１カバー３５、第２カバー３９及び配管１７を有する。
第１カバー３５は、第１面３５１、第２面３５２及び第１連結面３５３を有する。第１カバー３５は、断面が正６角形の連続した４面である、折り曲げた金属薄板である。第１カバー３５は、４面が配管１７とそれぞれ接している。第１カバー３５は、配管１７の第１半面を覆う。
第２カバー３９は、第１カバー３５と同一の形状である。第２カバー３９は、第３面３９３、第４面３９４及び第２連結面３９５を持つ。第２カバー３９は、第１カバー３５の外側を覆うように設置される。すなわち、第３面３９３は第１面３５１の外側に重なって接触する。第４面３９４は第２面３５２の外側に重なって接触する。
【００２２】
配管体３０によれば、第１面３５１と第３面３９３、及び、第２面３５２と第４面３９４が密着しやすい。配管体３０は配管体１０、２０よりも更に施工しやすい。
【符号の説明】
【００２３】
１０、２０、３０  配管体
１７  配管
１５、２５、３５  第１カバー
１５１、２５１、３５１  第１面
１５２、２５２、３５２  第２面
１５３、２５３、３５３  第１連結面
１９、２９、３９  第２カバー
１９３，２９３、３９３  第３面
１９４、２９４、３９４  第４面
１９５、２９５、３９５  第２連結面
【図１】
0003228691.tif 000003
【図２】
0003228691.tif 000004
【図３】
0003228691.tif 000005
【図４】
0003228691.tif 000006